(57)【要約】      （修正有）【課題】セットすることが簡単で、自分自身や海藻に絡むことがなく、狙った場所へ的確に投入することができる投げ釣りの仕掛けを提供する。【解決手段】着水した時に大きな抵抗となる袴９が取り付けられているコマセ籠８を貫通し、浮子１に設けられている仮止めとなるリング４に挿入することにより空中を飛んでいるときには浮子１とコマセ籠８とを一体化し、着水時にコマセ籠８に取り付けられた袴９が受ける抵抗により仮止めとなるリング４から外れる中通し６が設けられている。中通し６の先端部にノーズコーンを取り付けることもできる。【選択図】図１
0003202367.tif 000002
【実用新案登録請求の範囲】
【請求項１】
着水した時に大きな抵抗となる袴が取り付けられているコマセ籠を貫通し、浮子に設けられている仮止めとなるリングに挿入することにより空中を飛んでいるときには前記浮子と前記コマセ籠とを一体化し、着水時に前記コマセ籠に取り付けられた前記袴が受ける抵抗により仮止めとなるリングから外れる中通しが設けられていることを特徴とする投げ釣りの仕掛け。
【請求項２】
夜釣りに使用する発光体が前記浮子と直線上に設けられていることを特徴とする請求項１に記載の投げ釣りの仕掛け。
【請求項３】
前記中通しの先端部に、錘と当該錘を覆うノーズコーンとが一体化して取り付けられ、当該ノーズコーンの裾部は前記袴の開口部内に収まるとともに、前記裾部の外周面と前記袴の内周面との間に隙間が設けられていることを特徴とする請求項１又は２に記載の投げ釣りの仕掛け。
【考案の詳細な説明】
【技術分野】
【０００１】
本考案は投げ釣りの時に使用する仕掛けに関する。
【背景技術】
【０００２】
投げ釣りの主な仕掛けは、魚が釣れた時に水面で上下や左右に動いて人に知らせる浮子、この浮子と相当間隔を開けて魚を集める餌が入っているコマセ籠、仕掛けを遠くへ飛ばしコマセ籠等を早く沈めるための錘、針素が絡まないようにする天秤が道糸につながれ、天秤に針素を介して釣針が接続されている。
【０００３】
投げ釣りの仕掛けで重要なことは、これらの仕掛けを遠くでも近くでも狙った場所に投入できることである。また、これらの仕掛けが釣りの動作をしている間に自分自身や海藻に絡まないことも大切である。更に、これらの仕掛けを巻き上げてから再び投げる時までの動作が容易に行えることも重要である。
【０００４】
実際に釣をしている時の仕掛けの状態は、浮子は水面にあり、コマセ籠や錘等は魚が棲息している深さまで沈ませなければならないから、双方の位置は相当離れている。浮子とコマセ籠等とが離れた状態で仕掛けを投げると、浮子の空気抵抗とコマセ籠等の空気抵抗の和となるから仕掛けを遠くに飛ばすことができない。また、浮子とコマセ籠等とが離れていると、コマセ籠等よりはるかに軽い浮子は引きずられ、螺旋等の複雑な動きとなって、狙った場所に仕掛けを投入することができない。
【０００５】
投げ釣りの仕掛けに関する特許文献としては、以下に記載するものがある。すなわち、特許文献１には、浮子に錘の一部が挿入することができる空間を設け、浮子と錘とが一体となって空中を飛び、空気抵抗を少なくして遠くへ飛ばすことのできる仕掛けが開示されている。特許文献２には、風船を取り付け、風により遠くに飛ばす仕掛けが開示されている。
【先行技術文献】
【特許文献】
【０００６】
【特許文献１】特開２００３−２０４７４３号公報
【特許文献２】特開２００６−００６３０８号公報
【考案の概要】
【考案が解決しようとする課題】
【０００７】
特許文献１に示されている仕掛けは、浮子に設けられている空間に錘が挿入されただけで止めるものが無く、飛んでいる時に浮子と錘は分離され、浮子が錘に引きずられ複雑な動きとなって、狙った場所に仕掛けを投入することはできない。特許文献２に記載された仕掛けは、風向きに左右され、全く遠くに飛ばせない場合も生じ、実用的ではない。
【０００８】
そこで、本考案は、前記課題を解決するためになされたものであり、セットすることが簡単で、自分自身や海藻に絡むことがなく、遠くでも近くでも的確に狙った場所に投入することができる投げ釣りの仕掛けを提供することを目的としている。
【課題を解決するための手段】
【０００９】
前記課題を解決するために本考案の投げ釣りの仕掛けでは、その１として、着水した時に大きな抵抗となる袴が取り付けられているコマセ籠を貫通し、浮子に設けられている仮止めとなるリングに挿入することにより空中を飛んでいるときに浮子とコマセ籠等とを一体化し、着水時にコマセ籠に取り付けられた袴が受ける抵抗により仮止めとなるリングから外れる中通しが設けられている。
【００１０】
その２として、夜釣りをする時の発光体が、浮子と直線上に設けられている。
【００１１】
その３として、前記中通しの先端部に、錘と当該錘を覆うノーズコーンとが一体化して取り付けられ、当該ノーズコーンの裾部は前記袴の開口部内に収まるとともに、裾部外周面と袴内周面との間に隙間が設けられている。
【考案の効果】
【００１２】
本考案による投げ釣りの仕掛けによれば、操作が簡単で、自分自身絡むことがなく、遠くの場所でも近くの場所でも的確に狙った場所に投入することができ、仕掛けを巻き上げるときに、海藻が絡むことがない。
【図面の簡単な説明】
【００１３】
【図１】投げる前の投げ釣りの仕掛けを示した図である。
【図２】空中を飛んでいるときの投げ釣りの仕掛けを示した図である。
【図３】着水して中通しが浮子に設けたゴムリングから外れた時を示した図である。
【図４】浮子が水面に浮き、コマセ籠等が水中に沈んでいる時を示した図である。
【図５】先端部にノーズコーンが取り付けられている投げ釣りの仕掛けを示した図である。
【考案を実施するための形態】
【００１４】
本考案を実施するための最良の形態を、図面を使用し詳細に説明する。図１には本考案の一実施例である投げ釣りの仕掛けの断面が示されている。浮子１は発泡ウレタン等の浮力のある材料で構成されている。浮子１の図面上下方向には浮子止め２が取り付けられた道糸３及び中通し６を通すための孔１７が設けられている。孔１７の上部にはパイプ１８を固定するゴムリング１５、１６が取り付けられている。パイプ１８は夜釣りをする時に光る発光体１９を取り付けるために設けられている。発光体１９は断面が略「Ｃ」の字状になっており、空いている部分をパイプ１８に当てて押し込むことによりはめ込まれる。
【００１５】
浮子１の中部下には中通し６を仮止めするゴムリング４が取り付けられている。浮子１の下部には、水面に浮かんだ時に立つように錘７が内部に設けられている。
【００１６】
この浮子１の下には魚を集めるための餌が入るコマセ籠８が取り付けられている。コマセ籠８の下部には、この仕掛けが投げられたときに大きな抵抗をなる袴９が設けられている。
【００１７】
中通し６の最上部には道糸３を結ぶための穴５が設けられ、中通し６を構成する金属棒１４の４分の３位は樹脂により被覆されている。樹脂被覆されている部分の外径は、浮子１に設けられているゴムリング４の内径より少し太くなっている。中通し６の樹脂被覆されていない金属棒１４の部分はコマセ籠８の底及び錘１０を貫通し、天秤１１の一端と接続されている。中通し６の上部はゴムリング４の内側に当接しながら挿入されている。中通し６の長さは、ゴムリングに挿入した時に、天秤１１が中通し６とほぼ９０度となるように調整されている。
【００１８】
錘１０の下部には、針素１２や釣針１３を仕掛けから離して絡まないようにするための天秤１１が取り付けられている。中通し６と天秤１１とは鎖状に接続されており、固定されているものではない。
【００１９】
以上説明をした投げ釣りの仕掛けで注目すべきところは、中通し６が浮子１の孔１７に設けられた仮止めをするゴムリング４に挿入されて、浮子１とコマセ籠８等の他の仕掛けを一体化しており、コマセ籠８の下部に、着水したときに水による大きな抵抗となる袴９が設けられていることである。
【００２０】
以下、この動作について説明をする。投げ釣りの仕掛けを投げたときに、これらの仕掛けが離れていると、空気抵抗が大きくなり、浮子１が複雑な動きをして、仕掛けを遠くに飛ばすことができず、狙った場所に投入することができないのは前記したとおりである。図１に示される仕掛けで、浮子１とコマセ籠８等の他の仕掛けは、浮子１に設けられているゴムリング４の内径よりも外径が少し太い樹脂により被覆された中通し６が挿入されることにより接続され、一体化されている。ゴムリング４は柔軟性があり、ここに少し太い中通し６が挿入されるとゴムリング４は少し伸び、中通し６を軽く固定する。従って浮子１と他の仕掛けは、ゴムリング４の収縮力により一体化されていることとなる。図２には、この投げ釣りの仕掛けが投げられ、空中を飛んでいる時の様子が示されている。図２でも明らかなように、浮子１やコマセ籠８等を分ける力とはならず、空中では両者は分離されることはない。錘１０がコマセ籠８の下にあることから、コマセ籠８が先端となって飛ぶ。
【００２１】
投げられた仕掛けは、水面に着水する。この時、錘１０が下にあるコマセ籠８が最初に水面に着水する。コマセ籠８には袴９が設けられており、水による大きな抵抗を受ける。この力は浮子１に伝わり、コマセ籠８と浮子１とを停止させようとする力となる。しかし錘１０は、抵抗は受けるが、水と接触する面積が小さいことから、コマセ籠８が受ける抵抗と比較し少ない。従って錘１０及びこれに接続されている中通し６はそのまま進行しようとし、コマセ籠８及び浮子１は停止しようとする。浮子１に設けられているゴムリング４は当然中止しようとするが、ゴムリング４に挿入されている中通し６は進行しようとする。中通し６はゴムリング４の収縮する力で、中通し６を軽く固定しているだけであるから、進行する力を抑えきれず、ゴムリング４に挿入されていた中通し６は外れる。この時の状態が図３に示されている。中通し６がゴムリング４から外れると、浮子１とコマセ籠８等の仕掛けとを一体化するものではなく、浮子１はそれ自身の浮力により水面に浮き、コマセ籠８等の仕掛けは水中に沈んでいくことになる。
【００２２】
もう一つ注目すべき特徴は、発光体１９と浮子１とが一直線上に取り付けられていることである。従来の発光体２０は図１の破線に示すように、浮子１に斜めに差し込むように取り付けられていた。このように、浮子１の上部に道糸３と発光体２０とが「Ｙ」の字状になっていると、この間に海藻等が絡みやすくなり、巻き上げるときに非常に重くなって時間がかかるのである。そこで浮子１と発光体１９とを直線状に位置するように設け、海藻等を絡み難くしたのである。なお、発光体１９が取り付けられるパイプ１８は、完全に浮子１に固定されているものではなく、ゴムリング１５、１６に差し込まれているだけであるから、夜釣りをしないときには、浮子１から抜いておくこともできる。
【００２３】
コマセ籠８等が沈む深さは、浮子止め２が浮子１に設けられているパイプ１８の上端で停止される位置により定まる。予め魚が棲息している深さにコマセ籠８等が沈むように浮子止め２の位置を定めておけば、何回投げてもコマセ籠８等は常に魚が棲息する深さの位置に沈むこととなる。なお、天秤１１は浮子止め２により定まる位置まで沈むまでは、錘１０の方が天秤１１より重く早く沈もうとするため、中通し６とほぼ直角に保たれている。この為に他の仕掛けに絡みやすい釣針１３と針素１２とが、これらの仕掛けが投げられる初期の状態から、錘１０が定められた位置まで沈むまでの間、天秤１１の長さで決まる一番遠くの位置に保たれ、他の仕掛けに絡むことが非常に少なくなっている。図４に示されているように、錘１０が浮子止め２で定まる位置に沈んだ後に、中通し６と直線になる。
【００２４】
この仕掛けを巻き上げ、再び投げるには、コマセ籠８を地面に置き、中通し６を浮子１の孔１７の下側から入れ、浮子１を下げていけば、中通し６がゴムリング４に挿入されセットされる。この操作は簡単であり、夜釣りをする場合でも容易に行うことができる。また、このようにセットすることで再び投げた時に天秤１１は中通し６とほぼ直角になるから、釣針１３及び針素１２は、コマセ籠８等の仕掛けとは離れ、これらが絡むことはない。
【００２５】
本考案を実施するための別の最良の形態を図５に示す断面図を使用して説明する。この形態においては、中通しの金属棒１４の先端部に、錘１０と当該錘１０を覆うノーズコーン２１とが一体化して取り付けられている。ここでノーズコーンとは、例えば、飛行機やロケット、レーシングカーなど高速で飛行または走行する物体に見られるような先端が円錐状に尖った部分のことである。このように円錐状に尖った形状を有するノーズコーン２１を取り付けることにより、投げ釣り仕掛けが飛行する際の空気抵抗を減らすことができる。
【００２６】
ノーズコーン２１の裾部は、コマセ籠８の下部に設けられた袴９の開口部内に収まるとともに、裾部の外周面と袴９の内周面との間に隙間２４が設けられている。このように隙間２４を設けることにより、投げ釣り仕掛けが着水したときに、隙間２４に水が進入して袴９が大きな抵抗を受けることになる。しかし、錘１０と当該錘１０を覆うノーズコーン２１とが一体化して取り付けられた部分は、円錐状に尖った構造であるため、着水時の水による抵抗は比較的小さく、水中をそのまま進むことになる。
【００２７】
図５に示す形態においては、浮子１とコマセ籠８とは、ロータリーアームクリップ２３を介して連結されている、ロータリーアームクリップ２３は中通しの金属棒１４の一部を構成するとともに、回転自由な構造となっていて、天秤１１が中通しの金属棒１４とほぼ９０度となるように連結されている。
【００２８】
図５に示す形態においては、浮子１の長手方向中央部を貫通する孔１７の内部で道糸２と中通しの金属棒１４とが、よりもどし２２を介して接続されている。そして、よりもどし２２はゴムリング４により軽く固定されて、仮止めされた状態となっている。投げ釣り仕掛けが空中を飛行するときは、仮止めは保持されたままであり、着水時に仮止めが外れて、浮子１とコマセ籠８とは分離される。
【産業上の利用可能性】
【００２９】
本考案の投げ釣りの仕掛けは、アジ、イサキ、メジナ等の海釣りだけでなく、コイ等の川釣りにも利用することができる。
【符号の説明】
【００３０】
１            浮子
２            浮子止め
３            道糸
４            ゴムリング
５            穴
６            中通し
７            浮子内部の錘
８            コマセ籠
９            袴
１０          錘
１１          天秤
１２          針素
１３          釣針
１４          中通しの金属棒
１５          ゴムリング
１６          ゴムリング
１７          孔
１８          パイプ
１９          発光体
２０          従来の発光体
２１          ノーズコーン
２２          よりもどし
２３          ロータリーアームクリップ
２４          隙間
【図１】
0003202367.tif 000003
【図２】
0003202367.tif 000004
【図３】
0003202367.tif 000005
【図４】
0003202367.tif 000006
【図５】
0003202367.tif 000007